(57)【特許請求の範囲】
【請求項１】
ブロー成形により成形された熱可塑性樹脂製の流動食容器であって、
容器本体がほぼ直方体形状で扁平状に膨らんだ形状であり、かつ復元保持性を有するとともに易変形性を有し、容器本体の一端上部に注入口を有しかつ一端下部に吊り具を有しており、容器本体の他端上部に注出口を有していて、容器本体の上記注入口および注出口の有る側と反対側にあたる底面には容器の自立安定座り部を形成し、
前記容器本体は、その一方側面壁と他方側面壁がなだらかに外方に突出した曲面形状でしかも自立安定座り部方向に拡がる横断面形状が傾斜した構造の自立した壁をなして自立安定座り部に連なり、かつ自立安定座り部とは反対側に曲面形状をなす上面壁を有していて変形しても常に元の形状にすぐ復元して安定した自立姿勢を保持する復元保持性を備えていることを特徴とする流動食容器。
【請求項２】
容器本体の一端上部および他端上部にそれぞれ注入口を有しかつ一端下部および他端下部にそれぞれ吊り具を有していることを特徴とする請求項１記載の流動食容器。
【発明の詳細な説明】
【技術分野】
【０００１】
本発明は、経腸栄養剤、経管栄養剤などの流動食を患者に対してチューブを介して投与するための流動食容器に関するものである。
【背景技術】
【０００２】
経腸栄養剤、経管栄養剤などの流動食を患者に対してチューブを介して投与するための流動食容器であって可撓性のプラスチック製容器は、特開２００３−１２６２１７公報に記載されている。
【特許文献１】特開２００３−１２６２１７公報
【発明の開示】
【発明が解決しようとする課題】
【０００３】
前掲の特開２００３−１２６２１７公報に記載されている流動食容器は、プラスチックフィルムを袋状に成形した容器本体に別体の注入口および注出口を溶着したものであって可撓性にすぐれていても形状の復元保持性が無いので、流動食容器に充填されているそのまま流動食をそのまま投与するだけであれば問題はないが、他の薬剤等を補給して投与するような場合には、その注入の際にはなはだ取り扱いにくく不便である。
【０００４】
そこで、本発明は、容器本体がほぼ直方体形状で扁平状に膨らんだ形状に復元保持性を有するとともに易変形性を有し、容器本体の一端上部に注入口を有しかつ一端下部に吊り具を有しており、容器本体の他端上部に注出口を有していて、容器本体の上記注入口および注出口の有る側と反対側にあたる底面には容器の自立安定座り部を形成してあり、前記容器本体は、その一方側面壁と他方側面壁がなだらかに外方に突出した曲面形状でしかも自立安定座り部方向に拡がる横断面形状が傾斜した構造の自立した壁をなして自立安定座り部に連なり、かつ自立安定座り部とは反対側に曲面形状をなす上面壁を有することにより、容器本体は変形しても常に元の形状にすぐ復元してその形状を保持するうえ安定した自立姿勢を保持して、薬剤等を補給して投与するような場合の取り扱いにたいへん便利でしかも排液に従い壁面変形が均等となり、均一な排液性と混注作業性を向上させた流動食容器を提供することを目的とするものである。
【課題を解決するための手段】
【０００５】
上記目的を達成するための本発明の請求項１に係る流動食容器は、ブロー成形により成形された熱可塑性樹脂製の流動食容器であって、容器本体がほぼ直方体形状で扁平状に膨らんだ形状であり、かつ復元保持性を有するとともに易変形性を有し、容器本体の一端上部に注入口を有しかつ一端下部に吊り具を有しており、容器本体の他端上部に注出口を有していて、容器本体の上記注入口および注出口の有る側と反対側にあたる底面には容器の自立安定座り部を形成し、前記容器本体は、その一方側面壁と他方側面壁がなだらかに外方に突出した曲面形状でしかも自立安定座り部方向に拡がる横断面形状が傾斜した構造の自立した壁をなして自立安定座り部に連なり、かつ自立安定座り部とは反対側に曲面形状をなす上面壁を有していて変形しても常に元の形状にすぐ復元してその形状を保持するうえ安定した自立姿勢を保持する復元保持性を備えていることを特徴とするものである。
【０００６】
また、本発明の請求項２に係る流動食容器は、請求項１記載の構成において、容器本体の一端上部および他端上部にそれぞれ注入口を有しかつ一端下部および他端下部にそれぞれ吊り具を有しているものとすることができる。
【発明の効果】
【０００７】
本発明によれば、容器本体は変形しても常に元の形状にすぐ復元してその形状を保持するうえ安定した自立姿勢を保持して、薬剤等を補給して投与するような場合の取り扱いにたいへん便利でしかも排液に従い壁面変形が均等となり、均一な排液性と混注作業性を向上させた流動食容器を得ることができる。
【発明を実施するための最良の形態】
【０００８】
図１は本発明の一実施の形態に係る流動食容器の正面図、図２は同上底面図、図３は同上側面図である。
【０００９】
図に示すように、流動食容器１は、ブロー成形により成形された熱可塑性樹脂製のものであって、その容器本体２がほぼ直方体形状で扁平状に膨らんだ形状をなしており、容器本体２は変形しても元の形状にすぐ復元する復元保持性を有するとともに易変形性を有している。容器本体２の一端上部には注入口３が、かつ一端下部には吊り具４がそれぞれ形成されている。また、容器本体２の他端上部には注出口５が形成されており、さらに、容器本体２の上記注入口３および注出口５の有る側と反対側にあたる底面６には容器の自立安定座り部７が形成されており、容器本体２はその一方側面壁と他方側面壁がなだらかに外方に突出した曲面形状でしかも自立安定座り部７方向に拡がる横断面形状が傾斜した構造の自立した壁をなして自立安定座り部７に連なり、かつ自立安定座り部７とは反対側に曲面形状をなす上面壁を有している。なお、上記注入口３にはキャップ（図示せず）を装着して封止し、注出口５には先端の封止部８を切り取ってチューブ（図示せず）を装着するようになっている。
【００１０】
次に流動食容器１の使用態様について説明する。流動食容器１をブロー成形後、注入口３より経腸栄養剤などの流動食を充填し、その後注入口３はアルミニウムシールまたはイージーピールフィルムなどで密封する。次いで加熱滅菌後注入口３にキャップ（図示せず）をネジ固着し、外装袋に収容する。病院等で患者に投与する際に流動食にビタミン剤などの補助栄養剤等を混注する必要のある場合は、注入口３のシールを剥がし、自立安定座り部７を下にしてテーブル等に置いて、注入口３より補助栄養剤等を混注し、キャップを閉じる。なお、補助栄養剤等を混注する必要のない場合は注入口３のシールを剥がさない。次いで吊り具４をハンガーに掛け、注出口５が下になるように流動食容器１を吊り下げる。そして、封止部８を切除してチューブを接続し、経腸または経管の手段で患者に流動食を投与する。
【００１１】
本発明に係る流動食容器１は、低密度ポリエチレン、中密度ポリエチレン、高密度ポリエチレン、直鎖状低密度ポリエチレン、直鎖状超低密度ポリエチレン、ポリプロピレン、プロピレン−エチレン共重合体などのポリオレフィン系樹脂、ポリエチレンテレフタート樹脂、ナイロン−６、ナイロン−６，６などのポリアミド系樹脂、スチレン−ブタジエン−スチレンブロックコポリマー、スチレン−エチレン−ブチレン−スチレンブロックコポリマー等の熱可塑性エラストマーからなる単層構造またはそれらの樹脂と、エチレン−酢酸ビニル共重合ケン化物などのバリア性を有する樹脂などとの積層構造を用いることができる。
【００１２】
図１ないし図３に示した実施の形態に係る流動食容器１は、容器本体２の一端上部に注入口３をかつ一端下部に吊り具４を有し、容器本体２の他端上部に注出口５を有するものを示したが、本発明に係る流動食容器１は、図４に示すように、容器本体２の一端上部および他端上部にそれぞれ注入口３，３を有しかつ一端下部および他端下部にそれぞれ吊り具４，４を有する構成とすることができる。そして、この実施の形態のものにおいては、注入口３，３のいずれか一方を選択して注出口として流動食の投与することができる。
【００１３】
以上示した流動食容器１においては次の効果を得ることができる。
１．容器本体がほぼ直方体形状で扁平形状に膨らんだ形状であり、復元保持性とともに易変形性を有するので、フィルム製流動食容器に比べ混注時に注出口が変形することがなく、混注作業を安定して行うことができる。
２．注入口と注出口はブロー成形により容器本体と一体に構成したので、容器自体の形状保持特性に優れるとともに、フィルム製流動食容器のようにフィルムシール部分でピンホールを生じるおそれがなく、さらに一体成形可能であって容器自体を安価に提供できる。
３．容器本体はその一方側面壁と他方側面壁はなだらかに外方に突出した曲面形状でしかも自立安定座り部方向に拡がる横断面形状が傾斜した構造の自立した壁をなして自立安定座り部に連なり、かつ自立安定座り部とは反対側に曲面形状となる上面を有していて変形しても常に元の形状にすぐ復元して安定した自立姿勢を保持する復元保持性を備えているので、排液に従い壁面変形が均等となり、均一な排液性と混注作業性を向上することができる。
【図面の簡単な説明】
【００１４】
【図１】本発明の一実施の形態に係る流動食容器の正面図である。
【図２】同上底面図である。
【図３】同上側面図である。
【図４】本発明の他の実施の形態に係る流動食容器の正面図である。
【符号の説明】
【００１５】
１  流動食容器
２  容器本体
３  注入口
４  吊り具
５  注出口
６  底面
７  自立安定座り部
８  封止部
【図１】
0004583049.tif 000002
【図２】
0004583049.tif 000003
【図３】
0004583049.tif 000004
【図４】
0004583049.tif 000005